(57)【要約】      （修正有）【課題】ドクター刃の研磨作業によって生じるドクター刃磨耗粉による研磨具合のムラをなくし、印刷不良および印刷濃度が経時変化することがないドクター刃研磨装置を提供する。【解決手段】グラビア印刷版胴表面に余分に供給されたインキを掻き取るためのドクターのドクター刃１００を研磨するドクター刃研磨装置において、グラビアシリンダーの外形に相似するシリンダー型砥石５０の周面に設けられた研磨部分と、前記シリンダー型砥石５０を回転駆動する回転駆動手段と、前記ドクター刃５０を可動自在に支持し、かつ前記ドクター刃５０を前記研磨部分に押圧する手段２０と、洗浄液の噴射により前記研磨部分を洗浄する洗浄手段２００とを具備することを特徴とするドクター刃研磨装置。【選択図】図３
2008221448.tif 000002
【特許請求の範囲】
【請求項１】
グラビア印刷版胴表面に余分に供給されたインキを掻き取るためのドクターのドクター刃を研磨するドクター刃研磨装置において、
グラビアシリンダーの外形に相似するシリンダー型砥石の周面に設けられた研磨部分と、
前記シリンダー型砥石を回転駆動する回転駆動手段と、
前記ドクター刃を可動自在に支持し、かつ前記ドクター刃を前記研磨部分に押圧する手段と、
洗浄液の噴射により前記研磨部分を洗浄する洗浄手段とを具備する
ことを特徴とするドクター刃研磨装置。
【請求項２】
前記研磨部分が研磨砥粒粉を固着した研磨面であることを特徴とする請求項１に記載のドクター刃研磨装置。
【請求項３】
前記洗浄手段が前記シリンダー型砥石長手方向と平行に設置された送液管と、
前記送液管に配設した少なくともひとつの洗浄液噴射ノズルとを具備する
ことを特徴とする請求項１または２に記載のドクター刃研磨装置
【請求項４】
グラビア印刷版胴表面に余分に供給されたインキを掻き取るためのドクターのドクター刃を研磨するドクター刃研磨方法において、
グラビアシリンダーの外形に相似するシリンダー型砥石を回転駆動するステップと、
前記ドクター刃を可動自在に支持し、かつ前記ドクター刃を前記研磨部分に押圧するステップと、
洗浄液の噴射により前記研磨部分を洗浄するステップから構成されるドクター刃研磨方法。
【請求項５】
前記洗浄ステップが、前記円筒本体部分長手方向と平行に設置された送液管と、前記送液管に配設した少なくともひとつの洗浄液噴射ノズルから噴射される洗浄液によって行われることを特徴とする請求項４に記載のドクター刃研磨方法。
【発明の詳細な説明】
【技術分野】
【０００１】
本発明はグラビア印刷の技術分野に属する。特にグラビア印刷版胴表面に余分に供給されたインキを版面から掻き取るためのドクター刃を研磨するドクター刃研磨装置等に関する。
【背景技術】
【０００２】
従来はドクターホルダに組み込んだドクター刃を印刷ユニット内において作業者が砥石またはヤスリを使用して手作業で研磨する方法が行われている。しかし、手作業による研磨では作業者の熟練度によって研磨の仕上がりが異なり、またドクター刃の長手方向で研磨具合にバラつきが生じる。その結果、印刷物の印刷濃度にバラつきが生じる。さらに研磨作業時に危険を伴うことがあり、かつ研磨作業に時間がかかるという問題がある。
【０００３】
そこで、基台上に固定されたドクターに沿って往復移動可能な自走式の研磨ヘッドを有し、自動でドクター刃を研磨するドクター刃研磨装置の発明が開示されている（特許文献１）。しかし、前記のドクター研磨装置を用いて研磨した研磨面と実際の印刷版面とが一致せず、印刷中、ドクター刃の磨耗によりドクター刃と版面との接触面積が変化することにより印刷濃度が経時変化するという問題がある。
シリンダー周面に対し高低差を有する箇所に、ドクター刃を研磨する部材を備えた印刷機の提案がされている（特許文献２）。しかし、研磨により生じたドクター刃磨耗粉のインキへの混入や、ドクター刃に付着することによる研磨ムラによって印刷品質の不良を引き起こすという問題がある。
また、シリンダー型本体部分の周面にドクター刃を研磨するための研磨面を有するシリンダー型砥石および前記シリンダー型砥石を備えたドクター刃研磨装置および方法の発明が開示されている（特許文献３）。シリンダー型砥石表面は研磨面であり、研磨面は例えば円柱形上の砥石を製造し、シリンダーをはめ込み、接着する方法で形成することができる。円柱形状の砥石を製造する方法としては、例えばビトリファイド法、マグネシア法、レジノイド法がある。これらの方法を用いて研磨面が形成され、該研磨面内において微細な研磨砥粒粉が敷設され非常に細精度のドクター刃研磨が可能となる。しかしこれらの方法によって形成された研磨面には、隣り合う砥粒粉同士は完全に密着した構造をとっているわけではなく、微細な間隙が存在している。この間隙にドクター刃の磨耗粉が付着・残存し研磨ムラを引き起こす。結果、研磨ムラによる印刷品質の不良が生じるといった問題がある。
【特許文献１】特開平０４−３７２３５０号公報
【特許文献２】特許第３６０８２７６号公報
【特許文献３】特開２００６−７５９２６号公報
【発明の開示】
【発明が解決しようとする課題】
【０００４】
本発明は上記の問題を解決するためになされたものである。その目的は、作業者の熟練度を必要とせず、研磨作業が短時間で済み、ドクター刃先の磨耗により刃面と印刷版面との接触面積が経時変化せず、そのため印刷濃度が経時変化せず、研磨によって生じた磨耗粉のインキへの混入や、残存する磨耗粉による研磨ムラが原因となる印刷品質不良を引き起こさないようにすることにある。そして、そのためのドクター刃研磨装置等を提供することにある。
【課題を解決するための手段】
【０００５】
本発明の請求項１に係るドクター刃研磨装置は、グラビアシリンダーの外形に相似するシリンダー型砥石の周面に設けられた、前記ドクター刃を研磨する研磨部分と、前記シリンダー型砥石を回転駆動する回転駆動手段と、前記ドクター刃を可動自在に支持し、かつ前記ドクター刃を前記研磨部分に押圧する手段と、前記研磨部分を洗浄する洗浄手段とを具備するようにしたものである。
本発明の請求項２に係るドクター刃研磨装置は、請求項１記載のドクター研磨装置において、前記研磨部分が研磨砥粒粉を固着した研磨面であることを特徴としたものである。
また本発明の請求項３に係るドクター刃研磨装置は、請求項１〜２に係るドクター刃研磨装置において、前記洗浄手段が前記シリンダー型砥石長手方向と平行に設置された送液管と、前記送液管に配設した少なくともひとつの洗浄液噴射ノズルを具備するようにしたものである
本発明の請求項４に係るドクター刃研磨装置は、グラビアシリンダーの外形に相似するシリンダー型砥石を回転駆動するステップと、前記ドクター刃を可動自在に支持し、かつ前記ドクター刃を前記研磨部分に押圧するステップと、洗浄液の噴射により前記研磨部分を洗浄するステップから構成されるようにしたものである。
本発明の請求項５に係るドクター刃研磨方法は、請求項４に係るドクター刃研磨方法において、洗浄ステップが、前記シリンダー型砥石長手方向と平行に設置された送液管と、送液管に配した少なくともひとつの洗浄液噴射ノズルから噴射される洗浄液によって行われるようにしたものである。
【発明の効果】
【０００６】
本発明の請求項１に係るドクター刃研磨装置によれば、周面に研磨部分を有するシリンダー型砥石を回転駆動させる回転駆動手段を具備するからドクター長手方向全体に渡って同時に研磨される。この研磨は再現性が良く、短時間で研磨を終わらせることができる。また、ドクター刃を可動自在に支持し、グラビアシリンダーの外形に相似したシリンダー型砥石周面の研磨部分にドクター刃を押圧することにより、ドクター刃の研磨面と実際に使用する印刷版面と一致し、実際の印刷において接触角度や接触面積が経時変化することがない。印刷ユニット外で研磨作業等が行われるためドクター刃磨耗粉がインクへ混入することない。また磨耗粉を除去する洗浄手段を具備することにより、研磨面および研磨部分およびドクター刃に付着する磨耗粉によるドクター刃の研磨ムラによる印刷不良のない印刷物を得ることができるドクター刃研磨装置が提供される。
本発明の請求項２に係るドクター刃研磨装置によれば、ドクター刃の研磨面と実際に使用する版面と一致し、実際の印刷において接触角度や接触面積が経時変化することがない。
本発明の請求項３に係るドクター刃研磨装置によれば、シリンダー型砥石長手方向と平行に設置された送液管と、送液管に配設した少なくともひとつの洗浄液噴射ノズルから洗浄液を噴射することにより、研磨部分に付着・残存するドクター刃磨耗粉を洗い流すことができ、印刷不良のない印刷物を得ることができる。
本発明の請求項４および５に係るドクター刃研磨方法によれば、シリンダー型砥石周面の研磨部分に付着・残存するドクター刃磨耗粉を洗い流すことができ、印刷不良のない印刷物を得ることができる。
【発明を実施するための最良の形態】
【０００７】
次に、本発明の実施の形態について図を参照しながら説明する。図１は本発明のドクター刃研磨装置において周面に研磨部分を有するシリンダー型砥石５０を使用しドクター刃を研磨するときの態様の一例を示す概略図である。図２は本発明のドクター研磨装置における研磨部分の一例を示す上面図である。図３は本発明のドクター刃研磨装置における研磨部分の一例を示す断面図（図２のＡ−Ａ）である。図４は本発明のドクター刃研磨装置における洗浄手段の一例を示す上面図である。図５は本発明ドクター刃研磨装置における洗浄主要部の一例を示す断面図（図４のＢ−Ｂ'）である。
【０００８】
ドクターホルダ１０はドクター刃１００を２枚の金属板によって挟持する部材である。それら２枚の金属板は、一例を図３に示すように、ホルダ上板１１ａとホルダ下板１１ｂである。ドクター刃１００はドクターホルダ１０によって挟持された一体の状態でドクター刃研磨装置への着脱が行われる。ドクターホルダ１０はドクター刃研磨装置に専用の支持具とすることができる一方、そのドクター刃１００を使用するグラビア印刷機専用の支持具として流用することができる。これにより、ドクター刃の研磨面とグラビア印刷の版面とを一致させることが容易となり、またドクター刃１００をドクターホルダ１０に再度調整し保持する作業負荷が軽減されるため好適である。
【０００９】
ドクター架台２０はドクターホルダ１０を保持し固定する保持機構とともに、ドクター刃１００の左右における前後調節機構３０ａ,３０ｂを備えている。
【００１０】
前後調節機構３０ａ,３０ｂは例えば、ドクターホルダ１０における後方部（ドクター刃１００の刃先と反対の辺）に接するネジ付き棒部材と、そのネジ付き棒部材を支持するドクター架台２０に固定したネジ孔部材と、ネジ付き棒部材を手操作で回転するための前後調節ハンドル３１ａ,３１ｂから構成される。前後調整機構３０ａ,３０ｂはその前後調整ハンドル３１ａ,３１ｂを作業者が回転操作し、ドクター刃１００をシリンダー型砥石５０に対して近づけたり、遠ざけたりするための機構を有する。
【００１１】
上下調整機構４０はドクター架台２０の上下方向の位置を調整する機構である。たとえば、上下調整機構４０はドクター刃研磨装置のフレームとドクター架台２０の間に設けられた周知の直線移動機構、アームとその回転機構、等を適用することができる。
【００１２】
上記の前後調節機構３０ａ,３０ｂおよび上下調整機構４０によりドクター刃１００が実際の印刷版胴の版面に当接する角度と同じ接触角条件を満たす研磨作業が行われる。これによってドクター刃の研磨面と実際の印刷版面とが一致し、ドクター刃と版面との接触角および接触面積の経時変化による印刷濃度の経時変化をなくすことができる。
【００１３】
シリンダー型砥石５０は、グラビア印刷版胴の外形に相似した円柱または円筒であり、周面には研磨砥粒粉が固着した研磨部分が設けられ、これによりドクター刃を研磨する。シリンダー形状は軸が付いた軸付きシリンダー、軸無しシリンダー（スリーブシリンダー）のいずれであってもよい。シリンダー型砥石５０が軸付きシリンダーの時はドクター研磨装置が軸付シリンダー用の軸受を備える。またシリンダー型砥石５０が軸無シリンダーの時には、ドクター刃研磨装置はチャッキングコーンからなるチャッキング機構を備える。いずれのシリンダー形状においてもドクター刃研磨装置はシリンダー型砥石５０を所定の回転速度で回転駆動させる回転機構を備える。
【００１４】
シリンダー型砥石５０は周面に研磨砥粒粉が敷設され、該周面が研磨部分となる。研磨砥粒粉は例えば６０００個／ｉｎｃｈ2の密度で敷き詰められている。
【００１５】
ドクター刃１００はグラビアシリンダーの版面に余分に供給されたインキを掻き取るための薄板であり、金属製やセラミック製が一般的である。例えば０．０１ｍｍ〜１．０ｍｍの厚さで、押圧により撓み版面に馴染んで密着する。
【００１６】
ドクター刃の研磨によってシリンダー型砥石５０表面にはドクター刃１００の磨耗粉が付着する。ドクター刃研磨装置内に、ドクターホルダ１０と対向するように設けられたシリンダー型砥石５０に平行に配置された洗浄液供給管２１０と、洗浄液供給管に付された少なくともひとつの洗浄液噴射ノズル２００ａ,２００ｂ,２００ｃ…からシリンダー型砥石５０へ洗浄液２２０が噴射される。
【００１７】
なお図示しないが、シリンダー型砥石５０へ噴射され、シリンダー型砥石５０表面に付着したドクター刃磨耗粉を除去した洗浄液２２０はシリンダー型砥石５０下方に設置された洗浄液受皿によって受け止められ、ポンプ等を用いて循環して用いる機構を有する。このとき循環液に含まれるドクター刃磨耗粉の循環を防ぐために循環用送液管にフィルターが設けられ、研磨部分から洗い落とされた磨耗粉が捕捉され除去される。
【００１８】
以上の構成において、次に本発明のドクター刃研磨装置における動作の一例について図６を参照して説明する。図６は本発明のドクター刃研磨装置における研磨および洗浄の過程の一例を示すフロー図である。
まず、図６のステップＳ１（準備１）にいて、これから印刷を行うグラビア印刷機専用のドクターホルダ１０に研磨前のドクター刃１００を固定する。ドクター刃１００が保持固定されたドクターホルダ１０を本発明のドクター刃研磨装置に取り付ける。このときシリンダー型砥石５０は予めドクター研磨装置に設置されているものとする。また、予め設置していない場合は、本ステップ以前にシリンダー型砥石５０のドクター刃研磨装置への装着が行われるものとする。
【００１９】
ステップＳ２（研磨条件設定）において、作業者はドクター刃研磨装置における研磨角度を除く研磨条件の設定を行う。その研磨条件としては、ドクター加圧力、研磨時間、シリンダー型砥石５０の回転速度、等が挙げられる。
【００２０】
ステップＳ３（研磨角度設定）において、作業者はドクター刃研磨装置における研磨角度の設定を行う。研磨角度は印刷を行うときに接触させたドクター刃１００の研磨面と版面とが一致する角度となるように設定する。研磨角度の設定は前述の前後調整機構３０ａ,３０ｂと上下調整機構４０とを調整し、ドクター刃１００の刃先とシリンダー型砥石５０の周面との相対的な位置関係を調整することにより研磨角度を設定する。
【００２１】
ステップＳ４（研磨）において、作業者はドクター研磨装置の操作盤の研磨スタートボタンを押す。これによってシリンダー回転機構が動作し、シリンダー型砥石５０が回転しながら加速し設定された回転速度に到達すると定速運転に入る。その状態で、ドクター架台２０が脱位置の状態から着位置の状態に変位し、ドクター刃が回転するシリンダー型砥石５０に加圧しながら当接され、刃先の研磨が行われる。一定時間経過後に研磨作業を停止する。この停止動作は、着位置のドクター刃を脱位置の状態にし、回転機構にブレーキが働くことによりシリンダー型砥石の回転速度を減速停止する流れでもよいし、またその逆の流れでもよい。作業効率上、ドクター刃が脱位置に戻せばシリンダー型砥石５０が回転状態を維持したまま、次のステップに移行しても良いものとする。
【００２２】
ステップＳ５（ドクター取外し）において、作業者はドクター刃が保持固定されたドクターホルダ１０を本発明のドクター刃研磨装置から取り外す。研磨作業後のドクターの研磨面には前記ステップの研磨により磨耗粉が付着しているため、不織布等により払拭し磨耗粉を除去する。
【００２３】
ステップＳ６（準備２）において、作業者は噴射圧および噴射時間を決め、ドクター研磨装置の操作盤の洗浄スタートボタンを押す。これによって回転状態にあるシリンダー型砥石５０（停止状態にあるときは前記ステップＳ５の後に、シリンダー型砥石５０の回転を始動する）に向かって噴射ノズル２００ａ,２００ｂ,２００ｃ…から洗浄液が噴射され、洗浄液の循環に係るポンプ等の動作が開始される。洗浄液はたとえばフィルター等で濾過した水等が挙げられる。
【００２４】
ステップＳ７（洗浄）において、回転状態にあるシリンダー型砥石５０に噴射ノズル２００ａ,２００ｂ,２００ｃ…から洗浄液の噴射を行う。噴射ノズル２００ａ,２００ｂ,２００ｃ…から噴射された洗浄液によりシリンダー型砥石５０周面に付着したドクター刃磨耗粉を洗い落とされる。一度洗浄に用いられた洗浄液はシリンダー型砥石５０下方に設置された洗浄液受皿によって受け止められ、循環して使用される。循環用送液管にはフィルターが設けられ、回収された洗浄液中に含まれる磨耗粉を随時捕捉し除去する。ここで洗浄とは研磨部分に付着したドクター刃研磨磨耗粉を除去することおよびシリンダー型砥石周面の汚れを除去することである。
【００２５】
ステップＳ８（運転停止）において、作業者はドクター刃研磨装置の操作盤のストップボタンを押す。これにより洗浄液の噴射および、回転駆動手段の動作が停止される。また、予め洗浄時間をセットしておきタイマー機能により自動停止する機構であってもよい。
【００２６】
以上のステップにより、ドクターホルダ１０によって保持されたドクター刃１００の研磨が完了し、ドクター刃の刃先には実際の印刷版面に一致した研磨面が形成されている。また、洗浄手段によりシリンダー型砥石５０周面に設けられた研磨部分に付着するドクター刃の磨耗粉が除去される。そのためドクター刃研磨面の研磨具合のバラつきをなくすことができ、品質不良のないグラビア印刷が可能となる。
【図面の簡単な説明】
【００２７】
【図１】本発明のドクター刃研磨装置においてシリンダー型砥石を使用して研磨するときの態様の一例を示す概略図である。
【図２】本発明のドクター刃研磨装置における研磨部分の一例を示す上面図である
【図３】本発明のドクター刃研磨装置における研磨部分の一例を示す断面図である。
【図４】本発明のドクター刃研磨装置における洗浄手段の一例を示す上面図である。
【図５】本発明のドクター刃研磨装置における洗浄手段の一例を示す断面図である。
【図６】本発明のドクター研磨装置における研磨および洗浄の過程の一例を示すフロー図である。
【符号の説明】
【００２８】
１０    ドクターホルダ
１１ａ    ホルダ上板
１１ｂ    ホルダ下板
２０    ドクター架台
３０ａ  ,  ３０ｂ    前後調整機構
３１ａ  ,  ３１ｂ    前後調整ハンドル
４０    上下調整機構
５０    シリンダー型砥石
１００    ドクター刃
２００    洗浄液噴射ノズル
２１０    洗浄液供給管
２２０    洗浄液
【図１】
2008221448.tif 000003
【図２】
2008221448.tif 000004
【図３】
2008221448.tif 000005
【図４】
2008221448.tif 000006
【図５】
2008221448.tif 000007
【図６】
2008221448.tif 000008